(57)【要約】【課題】キャップ本体のスカート壁を薄肉化して軽量化を実現しつつも、成形時に座屈などの支障が生じることなく金型から容易に離型出来るプラスチックキャップを提供する。【解決手段】容器の口部に液密に螺着するものであり、円形天面壁とこれの周縁から垂下するスカート壁とからなり、スカート壁は周状破断部より上方の主部と下方のタンパーエビデントバンドとで構成し、タンパーエビデントバンドの内周面には、口部の雄螺条より下方の顎部に下方から係止する係止片が、周方向に所定間隔ごとに複数個設けられ、段差部も有し、段差部より上方の小径部と、下方の大径部とがあり、大径部には、係止片の間に段差部から大径部下端まで延びる突起が形成され、係止片は外方に変位したときに、小径部の下端と当接しないようにしてなることで、主部を薄肉にしても、突起により力の伝達と補強とが良好になされ、上記課題を解決出来る。【選択図】図１
2010195455.tif 000002
【特許請求の範囲】
【請求項１】
円形天面壁と該天面壁の周縁から垂下するスカート壁からなり、
該スカート壁は下方に周状破断部を有し、該スカート壁は該周状破断部より上方の主部と、下方のタンパーエビデントバンドからなり、
該主部の内周面には、容器口部の外周面に形成されている雄螺条と螺合する雌螺条が形成されており、
該タンパーエビデントバンドの内周面には、該容器口部の雄螺条より下方に形成されている顎部に下方より係止する係止片が周方向に間隔をおいて複数個設けられているプラスチックキャップにおいて、
該タンパーエビデントバンドは内周面に段差部を有し、該タンパーエビデントバンドは該段差部より上方の小径部と、下方の大径部とからなり、
該大径部には、該段差部から該大径部の下端まで延びる突起が形成されており、
該突起は、該係止片間に対応する位置に形成されており、
該係止片は、外方に変位したときに該小径部下端と当接しないことを特徴とするプラスチックキャップ。
【請求項２】
該突起の内面は、そ上端から下端に向かって漸次大径になる傾斜面とされている請求項１記載のプラスチックキャップ。
【請求項３】
円形天面壁と該天面壁の周縁から垂下するスカート壁からなり、
該スカート壁は下方に周状破断部を有し、該スカート壁は該周状破断部より上方の主部と、下方のタンパーエビデントバンドからなり、
該主部の内周面には、容器口部の外周面に形成されている雄螺条と螺合する雌螺条が形成されており、
該タンパーエビデントバンドの内周面には、該容器口部の雄螺条より下方に形成されている顎部に下方より係止する係止片が周方向に間隔をおいて複数個設けられているプラスチックキャップにおいて、
該タンパーエビデントバンドは内周面に段差部を有し、該タンパーエビデントバンドは該段差部より上方の小径部と、下方の大径部とからなり、
該段差部には、下方に向かって漸次大径となる環状傾斜面を有する環状補強部が形成されており、
該係止片は、外方に変位したときに該小径部下端と当接しないことを特徴とするプラスチックキャップ。
【発明の詳細な説明】
【技術分野】
【０００１】
本発明は、液状物を充填している容器の口部に螺着して密封し、且つタンパーエビデント機構付きのプラスチックキャップに関し、より詳しくは、キャップ本体のスカート壁の肉厚を薄くした場合であっても、プラスチックキャップ成形時の金型からの離型に用いるストリッパーの突出し力によって、タンパーエビデントバンドが座屈することなく、プラスチックキャップをスムーズに離型させることの出来る構成を組み入れたプラスチックキャップに関する。
【背景技術】
【０００２】
従来のタンパーエビデント機構付きのプラスチックキャップは、図８に示すように、円形天面壁（図示しない）と、この天面壁の周縁から垂下するスカート壁５０とからなり、このスカート壁５０は下方に周状破断部５１を有し、このスカート壁５０は周状破断部５１より上方の主部５２と、下方のタンパーエビデントバンド５３とからなり、この主部５１の内周面には、容器口部の外周面に形成されている雄螺条と螺合する雌螺条が形成されており、さらに、タンパーエビデントバンド５３の内周面には、容器口部の雄螺条より下方に形成されている顎部に、下方より係止する係止片５４が周方向に所定の間隔をおいて複数個設けられてなるものである（例えば、特許文献１参照）。
【０００３】
しかしながら、図８の従来例に対し、図９に示すように、プラスチックキャップの原材料である合成樹脂の省資源を目的とした軽量化を図るために、スカート壁５０の主部５２を薄肉にすることが試みられている。このように主部５２を薄肉にして行くと、プラスチックキャップの主部５２の外径Ｒ１がタンパーエビデントバンド５３の下部の内径Ｒ２に近づき、遂には下部内径Ｒ２より小さくなる。特に、タンパーエビデントバンド５３の下部の内周面は、キャップを容器口部に装着する際に、係止片５４を収容するための肉抜き部が設けられているため、タンパーエビデントバンド５３の下部の内径が大きく形成されている。
すなわち、主部５２の外径Ｒ１とタンパーエビデントバンド５３の下部内径Ｒ２とが、プラスチックキャップの軸線Ａ方向での重なりがほとんど無いか、全く無い状態となる。
【先行技術文献】
【特許文献】
【０００４】
【特許文献１】特開２００７−１９１２０６号公報
【発明の概要】
【発明が解決しようとする課題】
【０００５】
上記した特許文献１のプラスチックキャップを薄肉にしたものは、主部５２の外径Ｒ１とタンパーエビデントバンド５３の下部内径Ｒ２との軸線Ａ方向での重なりに乏しいため
、製造時、タンパーエビデントバンド５３の下面５３ａを突出して、金型５５から離型させるのであるが（図１０参照）、その際、突出し力Ｐが主部５２に伝わりづらい。すなわち、突出し力Ｐを加えるタンパーエビデントバンド５３の下面５３ａと、主部５２との軸線Ａ方向の重なりが、実際には全く無いため、この突出し力Ｐがタンパーエビデントバンド５３から主部５２に伝わらず、タンパーエビデントバンド５３が座屈したりして、プラスチックキャップがスムーズに金型５５から離型出来ない現象が生じる虞がある。一方、薄肉にしていない。
【０００６】
そこで、本発明の目的は、キャップ本体スカート壁の主部を薄肉化し軽量化を実現しつつも、タンパーエビデントバンドの座屈などの支障が生じることなく金型から容易に離型出来るプラスチックキャップを提供することにある。
【課題を解決するための手段】
【０００７】
本発明は、上記目的を達成するために提案されたものであって、下記の構成からなるものである。
すなわち、本発明によれば、円形天面壁と該天面壁の周縁から垂下するスカート壁からなり、該スカート壁は下方に周状破断部を有し、該スカート壁は該周状破断部より上方の主部と、下方のタンパーエビデントバンドからなり、該主部の内周面には、容器口部の外周面に形成されている雄螺条と螺合する雌螺条が形成されており、該タンパーエビデントバンドの内周面には、該容器口部の雄螺条より下方に形成されている顎部に下方より係止する係止片が周方向に間隔をおいて複数個設けられているプラスチックキャップにおいて
、該タンパーエビデントバンドは内周面に段差部を有し、該タンパーエビデントバンドは該段差部より上方の小径部と、下方の大径部とからなり、該大径部には、該段差部から該大径部の下端まで延びる突起が形成されており、該突起は、該係止片間に対応する位置に形成されており、該係止片は、外方に変位したときに該小径部下端と当接しないことを特徴とするプラスチックキャップが提供される。
【０００８】
また、本発明によれば、該突起の内面は、上端から下端に向かって漸次大径になる傾斜面とされているプラスチックキャップが提供される。
【０００９】
また、本発明によれば、円形天面壁と該天面壁の周縁から垂下するスカート壁からなり、
該スカート壁は下方に周状破断部を有し、該スカート壁は該周状破断部より上方の主部と、下方のタンパーエビデントバンドからなり、該主部の内周面には、容器口部の外周面に形成されている雄螺条と螺合する雌螺条が形成されており、該タンパーエビデントバンドの内周面には、該容器口部の雄螺条より下方に形成されている顎部に下方より係止する係止片が周方向に間隔をおいて複数個設けられているプラスチックキャップにおいて、
該タンパーエビデントバンドは内周面に段差部を有し、該タンパーエビデントバンドは該段差部より上方の小径部と、下方の大径部とからなり、該段差部には、下方に向かって漸次大径となる環状傾斜面を有する環状補強部が形成されており、該係止片は、外方に変位したときに該小径部下端と当接しないことを特徴とするプラスチックキャップが提供される。
【００１０】
上記第１の課題解決手段による作用は、次の通りである。
すなわち、プラスチックキャップの金型からの離型時に、タンパーエビデントバンドの大径部下面を突出すと、その突出し力は主に係止片間に対応する位置にある突起により上方の主部に伝わり、且つ、段差部から大径部の下端に延びる突起により、タンパーエビデントバンドを補強して、座屈をすることなく金型からプラスチックキャップを離型する。さらに、係止片は、小径部下端と当接しないで外方に変位するから、容器口部にスムーズに螺着出来る。
【００１１】
また、第２の課題解決手段による作用は、突起がその内面が上端から下端に向かって漸次大径になる傾斜面になっているから、樹脂量を減らしているのに、突出し力及びタンパーエビデントバンドの大径部を補強する力は変わらない。
【００１２】
また、第３の課題解決手段による作用は、段差部に、下方に向かって漸次大径となる環状傾斜面を有する環状補強部を形成しても、第１の課題解決手段による作用と同様に、突出し力は環状補強部により上方の主部に伝わり、且つ、この環状補強部により、タンパーエビデントバンドを補強して、座屈をすることなく金型からプラスチックキャップを離型し、係止片は小径部下端と当接しないで外方に変位して、プラスチックキャップを容器口部にスムーズに螺着出来る。
【発明の効果】
【００１３】
本発明のプラスチックキャップは、キャップ本体のスカート部を薄肉化して軽量化を実現しているのに、成形の際にタンパーエビデントバンドの座屈などの支障が生じることなく金型から容易に離型出来、さらに係止片が小径部下端と当接しないで外方に変位して、容器口部に容易に螺着出来る効果がある。
【００１４】
また、本発明のプラスチックキャップは、上記効果に加えて、突起の樹脂量を減らせるのに、上記の突出し力及びタンパーエビデントバンドの大径部を補強する力は変わらない効果がある。
【００１５】
本発明のプラスチックキャップは、段差部に環状傾斜面を有する環状補強部を形成しても、上記と同様の効果を得ることが出来る。
【図面の簡単な説明】
【００１６】
【図１】本発明の実施例１に示した実施形態を示すプラスチックキャップを容器口部に螺着した状態の半裁縦断面図である。
【図２】図１のプラスチックキャップの半裁縦断面図である。
【図３】図１のプラスチックキャップの底面図である。
【図４】図１のプラスチックキャップの要部断面図である。
【図５】図１のプラスチックキャップの金型からの離型状態を示す要部断面図である。
【図６】本発明の実施例２に示した他の実施形態を示すプラスチックキャップの半裁縦断面図である。
【図７】図６のプラスチックキャップの要部断面図である。
【図８】従来例を示す断面図である。
【図９】従来例を薄肉にした状態の断面図である。
【図１０】薄肉にした状態の従来例の金型からの離型状態を示す断面図である。
【発明を実施するための形態】
【００１７】
以下に、図面を参照して本発明を実施するための形態を説明する。
【実施例１】
【００１８】
図面において、プラスチックキャップ１は、容器２の口部３に液密に螺着するものであり、円形天面壁４とこの天面壁４の周縁から垂下するスカート壁５からなり、このスカート壁５は中間部よりやや下に周状破断部６を有し、さらに、このスカート壁５は周状破断部６より上方の主部７と、下方のタンパーエビデントバンド８とからなり、主部７の内周面には、容器口部３の外周面に形成されている雄螺条９と螺合する雌螺条１０が形成されており、一方、タンパーエビデントバンド８の内周面には、容器口部３の雄螺条９より下方に形成されている顎部１１に下方より係止する係止片１２が周方向に所定間隔をおいて複数個設けられている。
【００１９】
このタンパーエビデントバンド８は内周面に段差部１３を有し、また、このタンパーエビデントバンド８は段差部１３より上方の小径部１４と、下方の大径部１５とからなり、この大径部１５には、段差部１３から大径部１５の下端まで延びる突起１６が形成されており、この突起１６は、上記の係止片１２の間に対応する位置に形成されており、さらに、この係止片１２は外方に変位したときに、小径部１４の下端１４ａと当接しないようにしてなるものである。
【００２０】
容器２としては、乳飲料、コーヒー飲料、果汁飲料など液状物を充填出来るものであり、且つ容器２の口部３に本発明のプラスチックキャップ１を液密に螺着出来るものであれば、形状やプラスチックの種類などに特に限定がない。
【００２１】
円形天面壁４は、その下面に容器２の口部３の内周面をシールするインナーリング２０及びその外側に口部３の外周端面に当接してシールするアウターリング２１が同芯的に設けられ、容器２の液密性を完全にしている。
【００２２】
スカート壁５は、既述のとおり、周状破断部６を境として上方の主部７と、下方のタンパーエビデントバンド８とに分かれ、主部７の内周面には容器口部３の外周面に刻設された雄螺条９に対応する雌螺条１０が形成されて、容器口部３への螺着を可能とし且つ開封後の主部７を螺着脱自在として、それらの螺着及び螺脱を補助するために、主部７の外周面にスベリ止め２２が設けられている。
【００２３】
一方、タンパーエビデントバンド８は、既述の通り、その内周面に段差部１３を有し、この段差部１３より上方の小径部１４と下方の大径部１５とからなって、この大径部１５の内周面下部に係止片１２がほぼ等間隔に複数個設けられている。これらの係止片１２は
、内方且つ上方に傾斜した状態で存在し、その大部分が大径部１５内に収納出来るようになっている。さらに、この係止片１２が、外方に変位したとき、すなわち、大径部１５内に収納する方向に変位したときに、小径部１４の下端１４ａと当接しないようにしてなっている。これは、容器口部３にプラスチックキャップ１をスムーズに螺着出来るようにするためである。
【００２４】
また、タンパーエビデントバンド８の大径部１５には、既述の通り、段差部１３から大径部１５下端まで延びる突起１６が、上記係止片１２の間に対応する位置に形成されている。この突起１６の内面は、その上端から下端に向かって漸次大径になる傾斜面２３とされている。この突起１６があることにより、タンパーエビデントバンド８自体を補強することになる。さらに、金型からプラスチックキャップ１を離型する時、タンパーエビデントバンド８の大径部１５の下面１５ａを突出すことにより行うが、その突出し力は突起１６の存在により、上方の主部７にもスムーズに伝わる。したがって、タンパーエビデントバンド８に対する応力の集中が大幅に減るから、タンパーエビデントバンド８が座屈すること無く、金型からプラスチックキャップ１を容易に離型することができる。
【００２５】
そして、プラスチックキャップ１のスカート壁５は、上方の主部７と下方のタンパーエビデントバンド８とが周状破断部６を境として分かれると共に、この周状破断部６によりつながっている。本実施例においてこの周状破断部６は、破断可能なブリッジ２４が周方向に間隔をおいて複数個設けられている。さらに、タンパーエビデントバンド８上面及び主部７下面に台座部２５及び２６を設けている。これら台座部２５及び２６は、プラスチックキャップ１の軸方向に周状破断部６の許容範囲を超える荷重が掛かったとき、これら台座部２５及び２６によりその荷重を支持して、周状破断部６の座屈や破断をさせない役割を担っている。
【００２６】
すなわち、この周状破断部６を破断することは、ブリッジ２４を破断することになり、初めて主部７とタンパーエビデントバンド８とが分離して、プラスチックキャップ１を開封したことになる。そして、分離されたタンパーエビデントバンド８は、容器２の口部３の鍔部２７（図１参照）上に落下して残留し、不正開封がなされたかどうかがわかる。
【００２７】
次に、図面を参照して、上記構成のプラスチックキャップ１の利用状況を説明する。
プラスチックキャップ１は、円形天面壁４の周縁からスカート壁５を垂下させてなり、容器２の口部３に液密に螺着するものである（図１参照）。まず、金型２８からプラスチックキャップ１を離型するには、タンパーエビデントバンド８の大径部１５の下面１５ａに突出し力Ｐを加える（図５参照）。この突出し力Ｐは、突起１６の存在により上方の主部７にもスムーズに伝わり、タンパーエビデントバンド８に応力が集中せず、さらに、突起１６の補強力により、タンパーエビデントバンド８が座屈することなく、金型２８からプラスチックキャップ１をスムーズに離型することができる。
【００２８】
金型２８から離型したプラスチックキャップ１は、係止片１２が下方に垂れ下がった状態となっているから、図２の状態に折り曲げ、内方且つ上方に傾斜した状態で存在するようにする。次に、液状物が充填された容器２の口部３に、図２の状態のプラスチックキャップ１をあてがい、螺着する。この時、プラスチックキャップ１の軸方向に上記許容範囲を超える荷重が掛かっても、台座部２５及び２６によりその荷重を支持して、周状破断部６を座屈や破断から守る。
【００２９】
容器２内の液状物を消費するには、プラスチックキャップ１のスカート壁５上方の主部７に手指を掛け、開封方向に回転させ、複数の係止片１２が容器２の顎部１１に係止させて、周状破断部６のブリッジ２４を破断し、主部７とタンパーエビデントバンド８とを分離して、主部７を容器２の口部３から取り外して、プラスチックキャップ１を開封する。したがって、このプラスチックキャップ１を一旦開封すると、主部７から分離されたタンパーエビデントバンド８は、容器２の口部３の鍔部２７上に落下して残留し、不正開封がなされたかどうかがわかる。そして、容器２内に液状物が残り一時保管したい場合は、容器２の口部３に主部７をあてがい、手指にて閉栓方向に回転させ螺着させれば良い。
【実施例２】
【００３０】
図６、７は本発明の他の実施の形態を示すものであり、このプラスチックキャップ１ａと図１ないし図５に示すものとの相違点は、突起１６の代わりに、段差部１３に、下方に向かって漸次大径となる環状傾斜面３０を有する環状補強部３１を形成した点にある。すなわち、この環状補強部３１によっても、図１ないし図５のプラスチックキャップ１の場合と同様に、突出し力は環状補強部３１により上方の主部７にスムーズに伝わり、且つ、この環状補強部３１により、タンパーエビデントバンド８自体を補強することになって、座屈をすることなく、金型２８からプラスチックキャップ１ａを離型出来、さらに、係止片１２は、小径部１４の下端１４ａと当接しないで外方にスムーズに変位出来て、プラスチックキャップ１ａを容器口部３に螺着出来るものである。その他の構成、作用は図１ないし図５に示すものと同様なので、図面に符号を付してその説明を省略する。
【００３１】
以上、本発明の実施例１、２を説明したが、具体的な構成はこれに限定されず、本発明の要旨を逸脱しない範囲での変更は適宜可能であることは理解されるべきである。
【産業上の利用可能性】
【００３２】
本発明のプラスチックキャップは、軽量化を実現しているのに、強度不足や力の伝達を正常化し、タンパーエビデントバンドの座屈などの支障が生じることなく金型から容易に離型したいような場合に、高い利用可能性がある。
【符号の説明】
【００３３】
１、１ａ                  プラスチックキャップ
２                        容器
３                        口部
４                        円形天面壁
５、５０                  スカート壁
６、５１                  周状破断部
７、５２                  主部
８、５３                  タンパーエビデントバンド
９                        雄螺条
１０                      雌螺条
１１                      顎部
１２、５４                係止片
１３                      段差部
１４                      小径部
１４ａ                    下端
１５                      大径部
１５ａ、５３ａ            下面
１６                      突起
２０                      インナーリング
２１                      アウターリング
２２                      スベリ止め
２３                      傾斜面
２４                      ブリッジ
２５、２６                台座部
２７                      鍔部
２８、５５                金型
３０                      環状傾斜面
３１                      環状補強部
Ａ                        軸線
Ｒ１                      外径
Ｒ２                      下部内径
【図１】
2010195455.tif 000003
【図２】
2010195455.tif 000004
【図３】
2010195455.tif 000005
【図４】
2010195455.tif 000006
【図５】
2010195455.tif 000007
【図６】
2010195455.tif 000008
【図７】
2010195455.tif 000009
【図８】
2010195455.tif 000010
【図９】
2010195455.tif 000011
【図１０】
2010195455.tif 000012